【手続補正書】
【提出日】平成29年6月26日(2017.6.26)
【手続補正１】
【補正対象書類名】特許請求の範囲
【補正対象項目名】全文
【補正方法】変更
【補正の内容】
【特許請求の範囲】
【請求項１】
複数のレンズ群と、開口絞りを有し、ズーミングに際して隣り合うレンズ群の間隔が変化するズームレンズであって、
前記開口絞りの物体側にフォーカシングに際して移動する樹脂レンズP0を有し、広角端における前記ズームレンズの光学全長をLwとするとき、前記樹脂レンズP0の物体側頂点から物体側にLw/4だけ離れた位置から、前記樹脂レンズP0の像側頂点から像側にLw/4だけ離れた位置の範囲内にn枚(n≧1)の樹脂レンズを有し、
前記n枚の樹脂レンズを物体側から像側へ順に樹脂レンズPi(i=1〜n)とし、前記樹脂レンズPi(i=0〜n)の屈折力をφPi(i=0〜n)、広角端における全系の焦点距離をfwとするとき、
【数１】
2016009113.tif 000001
なる条件式を満足することを特徴とするズームレンズ。
【請求項２】
20℃における前記樹脂レンズPi(i=0〜n)の材料のd線に対する屈折率をNdi、アッベ数をνdiとするとき、
1.45 < Ndi< 0.000259×νdi2−0.0264×νdi ＋ 2.213
15.0 < νdi < 60.0
なる条件式を満足することを特徴とする請求項１に記載のズームレンズ。
【請求項３】
前記樹脂レンズPi(i=1〜n)の中で屈折力の絶対値が最も大きい樹脂レンズを樹脂レンズPmaxとするとき、樹脂レンズPmaxは前記樹脂レンズP0の像側に配置されており、広角端と望遠端における前記樹脂レンズP0と前記樹脂レンズPmaxの間隔を各々Dw、Dtとするとき、
0.01 < | Dt / Dw | < 0.8
なる条件式を満足することを特徴とする請求項１または２に記載のズームレンズ。
【請求項４】
前記樹脂レンズP0の屈折力φP0は、
0.23 < | fw × φP0 | < 5.0
なる条件式を満足することを特徴とする請求項１乃至３のいずれか１項に記載のズームレンズ。
【請求項５】
前記樹脂レンズP0が含まれるレンズ群よりも物体側に位置する光学系の広角端における合成焦点距離をfowとするとき、
-0.70 < fw / fow < 0.10
なる条件式を満足することを特徴とする、請求項１乃至４のいずれか１項に記載のズームレンズ。
【請求項６】
前記樹脂レンズP0が含まれるレンズ群よりも物体側に負の屈折力のレンズ群が配置されていることを特徴とする請求項１乃至５のいずれか１項に記載のズームレンズ。
【請求項７】
前記樹脂レンズPi(i=1〜n)の中で屈折力の絶対値が最も大きい樹脂レンズを樹脂レンズPmaxとするとき、前記樹脂レンズP0と前記樹脂レンズPmaxは、空気を介して隣接して配置されていることを特徴とする請求項１乃至６のいずれか１項に記載のズームレンズ。
【請求項８】
前記樹脂レンズPi ( i=1〜n )のうち１つの樹脂レンズは像ぶれ補正に際して光軸に対して垂直方向の成分を持つ方向に移動することを特徴とする請求項１乃至７のいずれか１項に記載のズームレンズ。
【請求項９】
物体側から像側へ順に配置された、負の屈折力の第１レンズ群、正の屈折力の第２レンズ群、負の屈折力の第３レンズ群、正の屈折力の第４レンズ群、負の屈折力の第５レンズ群、正の屈折力の第６レンズ群よりなることを特徴とする請求項１乃至８のいずれか１項に記載のズームレンズ。
【請求項１０】
物体側から像側へ順に配置された、正の屈折力の第１レンズ群、負の屈折力の第２レンズ群、正の屈折力の第３レンズ群、負の屈折力の第４レンズ群、正の屈折力の第５レンズ群、負の屈折力の第６レンズ群、正の屈折力の第７レンズ群よりなることを特徴とする請求項１乃至８のいずれか１項に記載のズームレンズ。
【請求項１１】
撮像素子に像を形成することを特徴とする請求項１乃至１０のいずれか１項に記載のズームレンズ。
【請求項１２】
請求項１乃至１１のいずれか１項に記載のズームレンズと、該ズームレンズによって形成される像を受光する撮像素子を備えることを特徴とする撮像装置。
【手続補正２】
【補正対象書類名】明細書
【補正対象項目名】０００８
【補正方法】変更
【補正の内容】
【０００８】
本発明のズームレンズは、複数のレンズ群と、開口絞りを有し、ズーミングに際して隣り合うレンズ群の間隔が変化するズームレンズであって、
前記開口絞りの物体側にフォーカシングに際して移動する樹脂レンズP0を有し、広角端における前記ズームレンズの光学全長をLwとするとき、前記樹脂レンズP0の物体側頂点から物体側にLw/4だけ離れた位置から、前記樹脂レンズP0の像側頂点から像側にLw/4だけ離れた位置の範囲内にn枚(n≧1)の樹脂レンズを有し、
前記n枚の樹脂レンズを物体側から像側へ順に樹脂レンズPi(i=1〜n)とし、前記樹脂レンズPi(i=0〜n)の屈折力をφPi(i=0〜n)、広角端における全系の焦点距離をfwとするとき、
【数１】
2016009113.tif 000002
なる条件式を満足することを特徴としている。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１３
【補正方法】変更
【補正の内容】
【００１３】
以下に本発明の好ましい実施の形態を添付の図面に基づいて詳細に説明する。本発明のズームレンズは、複数のレンズ群と、開口絞りを有し、ズーミングに際して隣り合うレンズ群の間隔が変化する。開口絞りの物体側にフォーカシングに際して移動する樹脂レンズP0を有する。
【手続補正６】
【補正対象書類名】明細書
【補正対象項目名】００２９
【補正方法】変更
【補正の内容】
【００２９】
各実施例において好ましくは次の条件式のうち１以上を満足するのが良い。20℃における樹脂レンズPi(i=0〜n)の材料のd線に対する屈折率をNdi、アッベ数をνdiとする。樹脂レンズPi(i=1〜n)の中で屈折力の絶対値が最も大きい樹脂レンズを樹脂レンズPmaxとする。樹脂レンズPmaxは樹脂レンズP0の像側に配置されている。広角端と望遠端における樹脂レンズP0と樹脂レンズPmaxの間隔を、各々Dw，Dtとする。樹脂レンズP0の屈折力をφP0とする。樹脂レンズP0が含まれるレンズ群よりも物体側に位置する光学系の広角端における合成焦点距離をfowとする。このとき、次の条件式のうち１以上を満足するのが良い。
【手続補正７】
【補正対象書類名】明細書
【補正対象項目名】００３９
【補正方法】変更
【補正の内容】
【００３９】
以下、図１を参照して、本発明の実施例１のズームレンズL0のレンズ構成について説明する。実施例１のズームレンズは、物体側から像側へ順に配置された次のレンズ群より構成されている。
【手続補正８】
【補正対象書類名】明細書
【補正対象項目名】００４１
【補正方法】変更
【補正の内容】
【００４１】
第１レンズ群Ｌ１はズーミングに際して像側に凸状の軌跡で移動することで、前玉有効径の小型化を測っている。また、非球面レンズを有することで、ズーミング時の像面湾曲の変動等を効果的に補正している。第２レンズ群Ｌ２は樹脂よりなる単一の正レンズで構成している。像ぶれ補正に際して樹脂レンズPiのうちの１つの樹脂レンズである。第２レンズ群Ｌ２は、光軸に対して垂直方向の成分を持つように移動する。即ち、第２レンズ群Ｌ２で像変移を行っている。この構成により、防振時に駆動するレンズの総重量を軽減している。
【手続補正９】
【補正対象書類名】明細書
【補正対象項目名】００４３
【補正方法】変更
【補正の内容】
【００４３】
第５レンズ群Ｌ５は負レンズと正レンズを接合した負の接合レンズで構成しており、広角端から望遠端へのズーミングに際して第４レンズ群Ｌ４との間隔を広げるように移動することで、所定の変倍効果を得つつ、レンズ全長の増大を軽減している。第６レンズ群Ｌ６は非球面レンズを有しており、像面湾曲等を効果的に補正している。実施例１では第３レンズ群Ｌ３が樹脂レンズP0、第２レンズ群Ｌ２が樹脂レンズP1、第４レンズ群Ｌ４の物体側の正レンズが樹脂レンズP2(Pmax)である。樹脂レンズP0と樹脂レンズPmaxは空気を介して隣接して配置されている。樹脂レンズP0が含まれる第３レンズ群Ｌ３よりも物体側に負の屈折力の第１レンズ群Ｌ１が配置されている。
【手続補正１０】
【補正対象書類名】明細書
【補正対象項目名】００４４
【補正方法】変更
【補正の内容】
【００４４】
以下、図３を参照して、本発明の実施例２のズームレンズのレンズ構成について説明する。実施例２のズームレンズは、物体側から像側へ順に配置された次のレンズ群より構成されている。正の屈折力の第1レンズ群Ｌ１、負の屈折力の第２レンズ群Ｌ２、正の屈折力の第３レンズ群Ｌ３、
負の屈折力の第４レンズ群Ｌ４、正の屈折力の第５レンズ群Ｌ５、負の屈折力の第６レンズ群Ｌ６、正の屈折力の第７レンズ群Ｌ７より構成されている。ズーミングに際して隣り合うレンズ群の間隔が変化する。この構成により、大きなズーム比を確保しつつ、レンズ全長を短縮し、レンズ有効径の小型化を図っている。